(57)【要約】  サイドエアバッグ装置の提供。  車室内で車両の前方へ膨張展開し、座席に着座する乗員を側方から拘束するクッションと、クッションに内包され、クッションを膨張展開させるガスを供給するインフレータとを備え、クッションは、膨張展開した状態にて前記乗員の側方位置に対向する第１パネルと、第１パネルに結合してあり、乗員とは反対側に位置する第２パネルとを備え、第１パネル及び第２パネルのうち、一方のパネルの後端寄りの位置に、インフレータを前記車両の構造体に締結するためのスタッドボルトが挿通する挿通孔を設けてあり、クッションは、スタッドボルトを用いて、前記乗員の側方で前記車両の前方を向く壁面にインフレータと共に取り付けられる。
2020049882.tif 000002
【特許請求の範囲】
【請求項１】
車室内で車両の前方へ膨張展開し、座席に着座する乗員を側方から拘束するクッションと、
該クッションに内包され、該クッションを膨張展開させるガスを供給するインフレータと
を備え、
前記クッションは、膨張展開した状態にて前記乗員の側方位置に対向する第１パネルと、該第１パネルに結合してあり、前記乗員とは反対側に位置する第２パネルとを備え、
前記第１パネル及び前記第２パネルのうち、一方のパネルの後端寄りの位置に、前記インフレータを前記車両の構造体に締結するためのスタッドボルトが挿通する挿通孔を設けてあり、
前記クッションは、前記スタッドボルトを用いて、前記乗員の側方で前記車両の前方を向く壁面に前記インフレータと共に取り付けられる
サイドエアバッグ装置。
【請求項２】
前記クッションおよび前記インフレータが収納され、前記構造体に取り付けられるハウジングを更に備え、
前記壁面は、前記ハウジングの車両後方側に設けられる後方壁面である請求項１に記載のサイドエアバッグ装置。
【請求項３】
前記第１パネル及び前記第２パネルは、縫い合わせにより結合してある
請求項１又は請求項２に記載のサイドエアバッグ装置。
【請求項４】
前記クッションが膨張展開する際、前記第１パネル及び前記第２パネルの縫合ラインは、前記一方のパネル側へ偏倚する
請求項３に記載のサイドエアバッグ装置。
【請求項５】
前記第１パネル及び前記第２パネルは、実質的に同一の形状及び寸法を有する
請求項１から請求項４の何れか１つに記載のサイドエアバッグ装置。
【請求項６】
前記第１パネル及び前記第２パネルは１つの基布で構成され、前記クッションの膨張展開時に、当該クッションの車両前方部分に前記第１パネルと前記第２パネルとが一体化した領域を有する
請求項１から請求項５の何れか１つに記載のサイドエアバッグ装置。
【請求項７】
前記サイドエアバッグ装置は、車両の後部座席に設けられるリアシート用サイドエアバッグ装置である
請求項１から請求項５の何れか１つに記載のサイドエアバッグ装置。
【発明の詳細な説明】
【技術分野】
【０００１】
本発明は、サイドエアバッグ装置に関する。
【背景技術】
【０００２】
近年の車両にはエアバッグが装備されている。エアバッグは、車両衝突などの緊急時に作動する安全装置であって、ガス圧で膨張展開して乗員を受け止めて保護する。エアバッグには、設置箇所及び用途に応じて様々な種類がある。例えば、前後方向からの衝突から運転者を守るために、ステアリングの中央にはフロントエアバッグが設けられている。また、側面衝突又はそれに続いて起こる横転から乗員を守るために、壁部の天井付近からサイドウィンドウに沿って膨張展開するカーテンエアバッグ、座席の側部から乗員のすぐ脇へ膨張展開するサイドエアバッグなどが設けられている。
【先行技術文献】
【特許文献】
【０００３】
【特許文献１】特開２００６−２２４８１７号公報
【特許文献２】特開２０１５−２１４３３３号公報
【発明の概要】
【発明が解決しようとする課題】
【０００４】
特許文献１に開示されたエアバッグ装置は、エアバッグの膨張形態を調整するために、２枚のパネルにテザーを設けており、部品点数が多く、組み立て作業も煩雑であるという問題点を有している。【０００５】
特許文献２に開示されたエアバッグ装置は、エアバッグを構成するクッションの折り行程によって膨張形態を調整しており、組み立て作業が煩雑になるという問題点を有している。【０００６】
本発明は、斯かる事情に鑑みてなされたものであり、形状調整用のテザーを設けたり、クッションの折り行程により形状調整を行ったりすることなく、膨張形態を調整できるサイドエアバッグ装置を提供することを目的とする。
【課題を解決するための手段】
【０００７】
本開示のサイドエアバッグ装置は、車室内で車両の前方へ膨張展開し、座席に着座する乗員を側方から拘束するクッションと、該クッションに内包され、該クッションを膨張展開させるガスを供給するインフレータとを備え、前記クッションは、膨張展開した状態にて前記乗員の側方位置に対向する第１パネルと、該第１パネルに結合してあり、前記乗員とは反対側に位置する第２パネルとを備え、前記第１パネル及び前記第２パネルのうち、一方のパネルの後端寄りの位置に、前記インフレータを前記車両の構造体に締結するためのスタッドボルトが挿通する挿通孔を設けてあり、前記クッションは、前記スタッドボルトを用いて、前記乗員の側方で前記車両の前方を向く壁面に前記インフレータと共に取り付けられる。【０００８】
本開示によれば、クッションが膨張展開する際、スタッドボルトからみて車両前方に向かう第１パネル及び第２パネルの前後方向の長さが異なることになり、前後方向の長さが長い方のパネル（挿通孔が設けられてない側のパネル）は、短い方のパネル（挿通孔が設けられ、インフレータがセットされているパネル）に向かって捩れるように展開する。このように、本開示では、第１パネル及び第２パネルを非対称に取り付けることによって、クッションの展開方向を制御することができるので、膨張形態を調整するためのテザーを設けたり、クッションの折り行程を調整したりする必要がなくなり、部品点数が削減され、しかも組み立て作業が簡素化される。【０００９】
本開示によれば、前記クッションおよび前記インフレータが収納され、前記構造体に取り付けられるハウジングを更に備え、前記壁面は、前記ハウジングの車両後方側に設けられる後方壁面である。【００１０】
本開示によれば、クッション及びインフレータはハウジング内に収容され、クッションはハウジングを構成する壁面のうち、車両後方側に設けられる後方壁面にインフレータと共に取り付けられる。【００１１】
本開示のサイドエアバッグ装置は、前記第１パネル及び前記第２パネルは、縫い合わせにより結合してある。【００１２】
本開示によれば、縫い合わせの採用により、第１パネル及び第２パネルを簡易にしかも高強度に結合することができる。【００１３】
本開示のサイドエアバッグ装置は、前記クッションが膨張展開する際、前記第１パネル及び前記第２パネルの縫合ラインは、前記一方のパネル側へ偏倚する。【００１４】
本開示によれば、クッションが膨張展開する際、縫合ラインは一方のパネル側へ偏倚するので、例えば、縫合ラインが車外側へ偏倚するように調整し、クッションが膨張展開した際に縫い合わせ部分が乗員に接触しないようにすることができ、乗員の不快感を軽減できる。【００１５】
本開示のサイドエアバッグ装置は、前記第１パネル及び前記第２パネルは、実質的に同一の形状及び寸法を有する。【００１６】
本開示によれば、膨張形態を調整するために、車内側のパネルと車外側のパネルとで異なる形状のパネルを用意する必要がない。【００１７】
本開示のサイドエアバッグ装置は、前記第１パネル及び前記第２パネルは１つの基布で構成され、前記クッションの膨張展開時に、当該クッションの車両前方部分に前記第１パネルと前記第２パネルとが一体化した領域を有する。【００１８】
本開示によれば、一体化領域が前方にあるので、クッションの展開時に乗員に縫合ラインが当たることが少なくなり、擦過傷などの傷を乗員が負いにくくなる。また、第１パネルは、第２パネルと一体化した領域を有するので、第１パネル及び第２パネルの全周に亘って縫い合わせる必要がない。【００１９】
本開示のサイドエアバッグ装置は、前記サイドエアバッグ装置は、車両の後部座席に設けられるリアシート用サイドエアバッグ装置である。【００２０】
本開示によれば、車両の後部座席に着座する乗員を側方から受け止めて保護することができる。
【発明の効果】
【００２１】
本開示によれば、形状調整用のテザーを設けたり、クッションの折り行程により形状調整を行うことなく、膨張形態を調整できる。
【図面の簡単な説明】
【００２２】
【図１】実施の形態１に係るサイドエアバッグ装置を備える車両内部の模式図である。
【図２】サイドエアバッグ装置が備えるクッションの膨張展開状態を示す斜視図である。
【図３】サイドエアバッグ装置が備えるクッションの膨張展開状態を示す右側面図である。
【図４】実施の形態１に係るクッションの分解図である。
【図５】各パネルの結合状態を示す模式図である。
【図６】サイドエアバッグ装置が備えるクッションの収納状態を示す模式的断面図である。
【図７】サイドエアバッグ装置が備えるクッションの膨張展開状態を示す模式的断面図である。
【図８】実施の形態２に係るクッションの展開図である。
【図９】各パネルの結合状態を示す模式図である。
【発明を実施するための形態】
【００２３】
以下、本発明をその実施の形態を示す図面に基づいて具体的に説明する。
（実施の形態１）
図１は実施の形態１に係るサイドエアバッグ装置を備える車両内部の模式図である。実施の形態１に係るサイドエアバッグ装置１は、車両の内部（車室内）に設けられ、車両の衝突時に膨張展開するクッション１０（図２を参照）により、座席に着座する乗員を側方から拘束する。なお、以下の説明において使用する前後、左右及び上下の各方向は、図中に示すように、路面上を走行する車両の前後、左右及び上下の方向に基づく。
【００２４】
車両は、図に示していない運転席及び助手席の後方に、後部座席Ｓを備える。後部座席Ｓは、シート、アームレスト、及びヘッドレスト等を含み得る。サイドエアバッグ装置１は、例えば、後部座席Ｓと後部ドアとの間のスペースに存在する車室内の構造体に取り付けられる。エアサイドバッグ装置が取り付けられる構造体は、車両の前方を向く壁面を有するものとする。構造体の一例は、サイドガーニッシュＳＡである。
【００２５】
サイドエアバッグ装置１は、後部座席Ｓの左右両側に設けられる。左側のサイドエアバッグ装置１は、右側のサイドエアバッグ装置１と左右対称の構造を有しているため、以下の説明では、主として右側のサイドエアバッグ装置１について説明し、左側のサイドエアバッグ装置１については説明を省略する。また、本実施の形態では、後部座席Ｓに設けたサイドエアバッグ装置１について説明するが、サイドエアバッグ装置１の設置箇所は後部座席Ｓの側方に限定されるものではなく、運転席の側方若しくは助手席の側方であってもよい。
【００２６】
図２はサイドエアバッグ装置１が備えるクッション１０の膨張展開状態を示す斜視図であり、図３はその右側面図である。サイドエアバッグ装置１が備えるクッション１０は、膨張展開状態にて、後部座席Ｓに着座している乗員の側方位置に対向する内側パネル１１（第１パネル）と、内側パネル１１に対して乗員とは反対側に位置する外側パネル１２（第２パネル）とを備える。内側パネル１１及び外側パネル１２は、例えば、ナイロン繊維の編み込みにより強化された布地製の部材であり、縫い合わせにより互いに結合されて袋状に形成される。このため、クッション１０には、内側パネル１１及び外側パネル１２を縫い合わせたときにできる縫合ライン１３が現れる。
【００２７】
クッション１０の内部には、インフレータ２０が収容されている（図６を参照）。インフレータ２０は、車両の衝突等に応じて作動し、クッション１０を膨張展開させるためのガスを供給する。クッション１０は、インフレータ２０から供給されるガスが導入されることにより、車室内で車両前方へ膨張展開する。後部座席Ｓに着座した乗員は、膨張展開したクッション１０により車外方向への移動が拘束され、側方に存在する車室内の構造物への二次衝突から保護される。
【００２８】
図４は実施の形態１に係るクッション１０の分解図である。図４では、結合前の内側パネル１１及び外側パネル１２を簡略化して図示してある。内側パネル１１及び外側パネル１２は共に楕円形状であり、両者は実質的に同一の形状及び寸法を有する。一方のパネル（本実施の形態では、外側パネル１２）には、インフレータ２０を車室内の構造物に取り付けるためのスタッドボルト２１（図６を参照）が挿通する挿通孔１２ａが設けられている。この挿通孔１２ａは、車室内の構造体に取り付けた場合に、車両後端寄りの位置となるように外側パネル１２に設けられる。クッション１０は、インフレータ２０を収容し、インフレータ２０を固定するスタッドボルト２１の先端部が挿通孔１２ａから突出した状態にて、内側パネル１１及び外側パネル１２の互いの周縁部が縫い合わされ、袋状に形成される。図５は各パネルの結合状態を示す模式図である。
【００２９】
なお、本実施の形態では、簡略化のために、内側パネル１１及び外側パネル１２からなるクッション１０の構成について説明するが、内側パネル１１及び外側パネル１２とは別のパネル、更には、パネル間の結合、展開形状を補強又は維持するために使用される種々の補助部材を含んでいてもよい。
【００３０】
図６はサイドエアバッグ装置１が備えるクッション１０の収納状態を示す模式的断面図である。車両の衝突等が発生していない通常時には、サイドエアバッグ装置１のクッション１０は、後部座席Ｓと後部ドアとの間に存在する構造体に設けられたハウジング５０内に、適宜に折り畳まれて収納されている。図６の例では、クッション１０はハウジング５０内に渦巻き状に折り畳まれて収納された状態を示しているが、蛇腹状に折り畳まれて収納されてもよい。
【００３１】
ハウジング５０は、サイドエアバッグ装置１が取り付けられる取付面５１、取付面５１の周縁から前側に延びる周面５２、並びに、取付面５１及び周面５２により形成されるサイドエアバッグ装置１の収納空間を覆うカバー５３を備える。本実施の形態において、取付面５１は、ハウジング５０の車両後方側に設けられる後方壁面であり、乗員の側方において車両の前方を向く構造体の壁面の一例である。
【００３２】
サイドエアバッグ装置１は、クッション１０に内包されるインフレータ２０を取付面５１に固定することによって、取付面５１に取り付けられる。インフレータ２０の固定には、スタッドボルト２１及びナット２２が用いられる。インフレータ２０は、例えば、上下方向に延びる円柱形状をなしている。インフレータ２０の上端部及び下端部にはスタッドボルト２１を締結するための雌ねじがそれぞれ形成されている。クッション１０を構成するパネルの一方（本実施の形態では外側パネル１２）には、スタッドボルト２１が挿通する挿通孔１２ａが設けられている。この挿通孔１２ａは、膨張展開状態において後端寄りとなる位置に設けられていることが好ましい。また、ハウジング５０を構成する取付面５１にも同様にスタッドボルト２１が挿通する挿通孔５１ａが設けられている。インフレータ２０が取付面５１に固定される場合、スタッドボルト２１は前後方向に配される。スタッドボルト２１の前端部はインフレータ２０に設けられている雌ねじに締結され、後端部は外側パネル１２の挿通孔１２ａ及び取付面５１の挿通孔５１ａから後方へ突出して、ナット２２により締結される。
【００３３】
ハウジング５０のカバー５３は、引裂継目、バースト継目等、所定の外力の作用により破断する継目を備えている。クッション１０の膨張展開は、カバー５３の破断を伴って生じる。
【００３４】
以下、膨張展開時のクッション１０の形状について説明する。図７はサイドエアバッグ装置１が備えるクッション１０の膨張展開状態を示す模式的断面図である。上述したように、クッション１０の内部に収容されているインフレータ２０は、車両の衝突等に応じて作動し、クッション１０を膨張展開させるためのガスを供給する。クッション１０は、インフレータ２０から供給されるガスが導入されることにより、車室内で車両前方へ膨張展開する。外側パネル１２の後端寄りの位置には挿通孔１２ａが設けられていて、インフレータ２０と共にスタッドボルト２１によって固定されている。そのため、外側パネル１２が前方へ展開する前後方向の長さは、内側パネル１１が前方へ展開する前後方向の長さよりも短い。よって、インフレータ２０からガスが供給された場合、内側パネル１１及び外側パネル１２は前方へ展開し、外側パネル１２が最大限まで前方へ延び切ると共に、外側パネル１２よりも長い内側パネル１１の前端部分は外側パネル１２の方向（図７の例では右方向）へ捩れて展開する。この結果、クッション１０の前端部における縫合ライン１３は、外側パネル１２の側へ偏倚する。
【００３５】
以上のように、本実施の形態では、クッション１０が膨張展開する場合、スタッドボルト２１からみた内側パネル１１及び外側パネル１２の前後方向の長さは異なることになる。前後方向の長さが長い方のパネル（内側パネル１１）は、短い方のパネル（インフレータ２０がセットされている外側パネル１２）に向かって捩れるように展開する。このように、本実施の形態では、内側パネル１１及び外側パネル１２を非対称に取り付けることによって、クッション１０の展開方向を制御することができるので、膨張形態を調整するためのテザーを設けたり、クッションの折り行程を調整したりする必要がなくなる。よって、本実施の形態では、部品点数を削減することができ、しかも組み立て作業が簡素化することができる。
【００３６】
また、前後方向の長さが長い方のパネル（内側パネル１１）は、短い方のパネル（外側パネル１２）に向かって捩れるように展開するので、内側パネル１１及び外側パネル１２を縫い合わせている縫合ライン１３は、外側パネル１２の側（すなわち車外側）に偏倚する。この結果、乗員がクッション１０によって拘束されたとしても、縫合ライン１３が現れるパネル端面への接触が回避され、不快感が軽減される。
【００３７】
本実施の形態では、サイドエアバッグ装置１が備えるインフレータ２０を車室内の構造体に取り付ける構成について説明したが、インフレータ２０の取り付け箇所は、車室内の構造体に限定されない。例えば、タイヤハウジングなどの車両が備える任意の構造体にインフレータ２０を取り付ける構成であればよい。
【００３８】
（実施の形態２）
図８は実施の形態２に係るクッション１０の展開図であり、図９は各パネルの結合状態を示す模式図である。図８では、実施の形態２に係るクッション１０を構成する結合前の内側パネル１１及び外側パネル１２を簡略化して図示してある。内側パネル１１及び外側パネル１２は共に楕円形状であり、両者は実質的に同一の形状及び寸法を有する。また、実施の形態２では、一部の領域が共通しており、内側パネル１１及び外側パネル１２が一体的に形成されている。
【００３９】
一方のパネル（本実施の形態では、外側パネル１２）には、インフレータ２０を車室内の構造物に取り付けるためのスタッドボルト２１が挿通する挿通孔１２ａが設けられている。この挿通孔１２ａは、車室内の構造体に取り付けた場合に、車両後端寄りの位置となるように外側パネル１２に設けられる。クッション１０は、インフレータ２０を収容し、インフレータ２０を固定するスタッドボルト２１の先端部が挿通孔１２ａから突出した状態にて、内側パネル１１及び外側パネル１２の一体化された領域を除く周縁部が縫い合わされることによって、袋状に形成される。
【００４０】
なお、実施の形態２に係るクッション１０の膨張展開時の形状は実施の形態１と同様であるが、縫い合わせが行われていない領域を有しているので、パネル端面が乗員に接触しないのであれば、内側パネル１１に挿通孔を設け、インフレータ２０と共にスタッドボルト２１によってハウジング５０内に固定してもよい。
【００４１】
実施の形態２では、内側パネル１１及び外側パネル１２が一体化された領域は、クッション１０の膨張展開時に車両の前方を向くように構成されているので、クッション１０の膨張展開時に乗員に縫合ラインが当たることが少なくなり、擦過傷などの傷を乗員が負いにくくなるという利点を有する。
【００４２】
今回開示された実施の形態は、全ての点で例示であって、制限的なものではないと考えられるべきである。本発明の範囲は、上述した意味ではなく、請求の範囲によって示され、請求の範囲と均等の意味及び範囲内での全ての変更が含まれることが意図される。
【符号の説明】
【００４３】
１    サイドエアバッグ装置
１０  クッション
１１  内側パネル
１２  外側パネル
１２ａ  挿通孔
１３  縫合ライン
２０  インフレータ
２１  スタッドボルト
２２  ナット
５０  ハウジング
５１  取付面
５１ａ  挿通孔
５２  周面
５３  カバー
Ｓ  後部座席
ＳＡ  サイドガーニッシュ
【図１】
2020049882.tif 000003
【図２】
2020049882.tif 000004
【図３】
2020049882.tif 000005
【図４】
2020049882.tif 000006
【図５】
2020049882.tif 000007
【図６】
2020049882.tif 000008
【図７】
2020049882.tif 000009
【図８】
2020049882.tif 000010
【図９】
2020049882.tif 000011
【国際調査報告】
2020049882.tif 000012
2020049882.tif 000013